(57)【要約】  本発明は、インタフェースコネクタ、ベースバンドチップ、アンテナ、アンテナスイッチ、少なくとも2つのLCトラップネットワーク、第1の差動SPMTスイッチ、および第2の差動SPMTスイッチを含む高調波抑制システムを提供し、インタフェースコネクタは、第1の差動SPMTスイッチの共通端に接続され、第1の差動SPMTスイッチの制御ポートが第2の差動SPMTスイッチの制御ポートに接続され、第1の差動SPMTスイッチのゲーティング投入端が、各LCトラップネットワークの一端に一対一対応で別々に接続され、第2の差動SPMTスイッチの制御ポートがベースバンドチップに接続され、第2の差動SPMTスイッチの各ゲーティング投入端が、各LCトラップネットワークの他端に一対一対応で別々に接続され、第2の差動SPMTスイッチの共通端がベースバンドチップに接続され、ベースバンドチップはアンテナスイッチに接続され、アンテナスイッチはアンテナに接続される。
2016526834.tif 000002
【特許請求の範囲】
【請求項１】
インタフェースコネクタ、ベースバンドチップ、アンテナ、およびアンテナスイッチを備える高調波抑制システムであって、前記システムは、少なくとも2つのLCトラップネットワーク、第1の差動単極多投SPMTスイッチ、および第2の差動単極多投SPMTスイッチをさらに備え、
前記インタフェースコネクタが前記第1の差動SPMTスイッチの共通端に接続され、
前記第1の差動SPMTスイッチの制御ポートが前記第2の差動SPMTスイッチの制御ポートに接続され、前記第2の差動SPMTスイッチの前記制御ポートが前記ベースバンドチップに接続され、前記第1の差動SPMTスイッチの複数のゲーティング投入端の各ゲーティング投入端が、前記少なくとも2つのLCトラップネットワークの各LCトラップネットワークを使用することにより、前記第2の差動SPMTスイッチの複数のゲーティング投入端の各ゲーティング投入端に対称的に別々に接続され、
前記第2の差動SPMTスイッチの共通端が前記ベースバンドチップに接続され、
前記ベースバンドチップが、前記アンテナスイッチを使用することにより前記アンテナに接続され、前記ベースバンドチップが、前記アンテナの動作周波数帯域を決定し、前記動作周波数帯域が複数のプリセットの周波数帯域のうちの1つであることが決定されると、前記動作周波数帯域に対応するプリセットのゲーティング制御信号を前記第1の差動SPMTスイッチの前記制御ポートおよび前記第2の差動SPMTスイッチの前記制御ポートに送るように構成され、前記複数の周波数帯域の各周波数帯域が、前記少なくとも2つのLCトラップネットワークの各LCトラップネットワークに一対一で対応し、
前記第1の差動SPMTスイッチが、前記ゲーティング制御信号に従って、前記インタフェースコネクタと前記動作周波数帯域に対応するLCトラップネットワークとを電気的に接続するように構成され、
前記第2の差動SPMTスイッチが、前記ゲーティング制御信号に従って、前記ベースバンドチップと前記動作周波数帯域に対応する前記LCトラップネットワークとを電気的に接続するように構成される、
高調波抑制システム。
【請求項２】
前記第1の差動SPMTスイッチおよび前記第2の差動SPMTスイッチがストレートスルー投入端をさらに備え、前記第1の差動SPMTスイッチのストレートスルー投入端が前記第2の差動SPMTスイッチのストレートスルー投入端に接続され、
前記ベースバンドチップは、前記動作周波数帯域が前記複数の周波数帯域のいずれでもないことが決定されると、ストレートスルー制御信号を前記第1の差動SPMTスイッチの前記制御ポートおよび前記第2の差動SPMTスイッチの前記制御ポートに送るようにさらに構成され、
前記第1の差動SPMTスイッチが、前記ストレートスルー制御信号に従って、前記インタフェースコネクタと前記第1の差動SPMTスイッチの前記ストレートスルー投入端とを電気的に接続し、
前記第2の差動SPMTスイッチが、前記ストレートスルー制御信号に従って、前記ベースバンドチップと前記第2の差動SPMTスイッチの前記ストレートスルー投入端とを電気的に接続する、請求項1に記載のシステム。
【請求項３】
前記ベースバンドチップが、前記アンテナスイッチの制御ポートを使用することにより前記アンテナに接続され、前記ベースバンドチップは、前記アンテナの前記動作周波数帯域が決定された後、前記動作周波数帯域に対応するプリセットのアンテナスイッチ制御信号を前記アンテナスイッチの前記制御ポートに送り、それによって前記アンテナスイッチが前記アンテナスイッチ制御信号に従って前記アンテナの動作信号の周波数帯域を前記動作周波数帯域に切り替えるようにさらに構成される、請求項1または2に記載のシステム。
【請求項４】
各LCトラップネットワークが、LCトラップ回路、前記第1の差動SPMTスイッチの前記ゲーティング投入端に接続された第1のポート、および前記第2の差動SPMTスイッチの前記ゲーティング投入端に接続された第2のポートを備え、前記第1のポートが第1の正ポートおよび第1の負ポートを備え、前記第2のポートが第2の正ポートおよび第2の負ポートを備え、
前記LCトラップ回路が、前記第1の正ポートと前記第2の正ポートとの間に接続された第1のLCトラップサブ回路と、前記第1の負ポートと前記第2の負ポートとの間に接続された第2のLCトラップサブ回路と、を備え、
前記第1のLCトラップサブ回路が第1のLC並列回路および第1のキャパシタを備え、前記第1のキャパシタの一端が低電気レベルに接続され、前記第1のキャパシタの他端が、前記第1の正ポートおよび前記第1のLC並列回路の一端に接続され、前記第1のLC並列回路の他端が前記第2の正ポートに接続され、
前記第2のLCトラップサブ回路が第2のLC並列回路および第2のキャパシタを備え、前記第2のキャパシタの一端が低電気レベルに接続され、前記第2のキャパシタの他端が、前記第1の負ポートおよび前記第2のLC並列回路の一端に接続され、前記第2のLC並列回路の他端が前記第2の負ポートに接続され、
前記第1のLC並列回路内のインダクタおよび前記第2のLC並列回路内のインダクタのパラメータが同じであり、前記第1のLC並列回路内のキャパシタおよび前記第2のLC並列回路内のキャパシタのパラメータが同じであり、前記第1のキャパシタおよび前記第2のキャパシタのパラメータが同じである、請求項1から3のいずれか一項に記載のシステム。
【請求項５】
前記インタフェースコネクタがユニバーサル・シリアル・バスUSBコネクタである、請求項1から4のいずれか一項に記載のシステム。
【発明の詳細な説明】
【技術分野】
【０００１】
本開示は、参照によりその全体が本明細書に組み込まれる、2013年6月27日に中国特許庁に出願された「HARMONIC SUPPRESSION SYSTEM」という名称の中国特許出願第201310271810.6号明細書の優先権を主張するものである。
【０００２】
本発明は、通信技術の分野に関し、詳細には高調波抑制システムに関する。
【背景技術】
【０００３】
現在のブロードバンド製品の最小化傾向およびアンテナ周囲のますます複雑化する電磁環境のために、アンテナ信号は、第二高調波からの干渉を一般に受ける。そういう理由で、第二高調波によって引き起こされる信号干渉は、LCトラップネットワーク（LC trap network）を設置することにより一般に抑制することができる。図1は、既存の高調波抑制システムの概略構成図である。図1に示されているように、このシステムは、インタフェースコネクタ11、LCトラップネットワーク12、ベースバンドチップ13、アンテナスイッチ14、およびアンテナ15を含み、LCトラップネットワーク12は、インタフェースコネクタ11とベースバンドチップ13との間に接続され、アンテナ15の動作周波数帯域がLCトラップネットワーク12に対応する周波数帯域であるときに生じる第二高調波を抑制するように構成され、アンテナスイッチ14は、ベースバンドチップ13とアンテナ15との間に接続され、ベースバンドチップ13がアンテナスイッチ14を使用することによりアンテナ15の動作周波数帯域を制御することができるように構成される。
【０００４】
図1に示されているように、この周波数帯域の場合の第二高調波の抑制は、この解決法を使用することにより、アンテナ15の動作周波数帯域がLCトラップ回路12に対応する周波数帯域であるときだけ実施することができる。しかしながら、アンテナ15の動作周波数帯域は、一般に複数の周波数帯域に及ぶ可能性があり、したがって、前述した既存の解決法に基づいて、アンテナ15の動作周波数帯域が別の周波数帯域であるときに、別の周波数帯域の場合の第二高調波の抑制は、LCトラップ回路12を使用することによって実施することができない。
【発明の概要】
【課題を解決するための手段】
【０００５】
本発明は、既存の高調波抑制解決法を使用することにより複数の周波数帯域に対して第二高調波の抑制を実施することができないという問題を解決するように構成された高調波抑制システムを提供する。
【０００６】
第1の態様によれば、本発明は、インタフェースコネクタ、ベースバンドチップ、アンテナ、およびアンテナスイッチを含む高調波抑制システムを提供し、このシステムは、少なくとも2つのLCトラップネットワーク、第1の差動単極多投（first differential single-pole multi-throw）（Single-Pole Multi-Throw、略してSPMT）スイッチ、および第2の差動単極多投SPMTスイッチをさらに含み、
インタフェースコネクタは第1の差動SPMTスイッチの共通端に接続され、
第1の差動SPMTスイッチの制御ポートが第2の差動SPMTスイッチの制御ポートに接続され、第1の差動SPMTスイッチの複数のゲーティング投入端（multiple gating throw ends）の各ゲーティング投入端が、少なくとも2つのLCトラップネットワークの各LCトラップネットワークの一端に一対一対応で別々に接続され、
第2の差動SPMTスイッチの制御ポートがベースバンドチップに接続され、第2の差動SPMTスイッチの複数のゲーティング投入端の各ゲーティング投入端が、少なくとも2つのLCトラップネットワークの各LCトラップネットワークの他端に一対一対応で別々に接続され、第2の差動SPMTスイッチの共通端がベースバンドチップに接続され、
ベースバンドチップはアンテナスイッチに接続され、アンテナスイッチはアンテナに接続され、
ベースバンドチップは、アンテナの動作周波数帯域を決定し、その動作周波数帯域が複数のプリセットの周波数帯域のうちの1つであることが決定されると、その動作周波数帯域に対応するプリセットのゲーティング制御信号を第1の差動SPMTスイッチの制御ポートおよび第2の差動SPMTスイッチの制御ポートに送るように構成され、複数の周波数帯域の各周波数帯域は、少なくとも2つのLCトラップネットワークの各LCトラップネットワークに一対一で対応し、
第1の差動SPMTスイッチは、ゲーティング制御信号に従って、インタフェースコネクタと動作周波数帯域に対応するLCトラップネットワークとを電気的に接続するように構成され、
第2の差動SPMTスイッチは、ゲーティング制御信号に従って、ベースバンドチップと動作周波数帯域に対応するLCトラップネットワークとを電気的に接続するように構成される。
【０００７】
第1の態様によれば、第1の態様の第1の実施可能な形態では、第1の差動SPMTスイッチおよび第2の差動SPMTスイッチはストレートスルー投入端（straight-through throw end）をさらに含み、第1の差動SPMTスイッチのストレートスルー投入端は第2の差動SPMTスイッチのストレートスルー投入端に接続され、
ベースバンドチップは、動作周波数帯域が複数の周波数帯域のいずれでもないことが決定されると、ストレートスルー制御信号を第1の差動SPMTスイッチの制御ポートおよび第2の差動SPMTスイッチの制御ポートに送るようにさらに構成され、
第1の差動SPMTスイッチは、ストレートスルー制御信号に従って、インタフェースコネクタと第1の差動SPMTスイッチのストレートスルー投入端とを電気的に接続し、
第2の差動SPMTスイッチは、ストレートスルー制御信号に従って、ベースバンドチップと第2の差動SPMTスイッチのストレートスルー投入端とを電気的に接続する。
【０００８】
第1の態様または第1の態様の第1の実施可能な形態によれば、第1の態様の第2の実施可能な形態では、ベースバンドチップは、アンテナの動作周波数帯域が決定された後、この動作周波数帯域に対応するプリセットのアンテナスイッチ制御信号をアンテナスイッチの制御ポートに送り、それによってアンテナスイッチがアンテナスイッチ制御信号に従ってアンテナの動作信号の周波数帯域を動作周波数帯域に切り替えるようにさらに構成される。
【０００９】
第1の態様または第1の態様の2つの第1の実施可能な形態のどちらかによれば、第1の態様の第3の実施可能な形態では、各LCトラップネットワークは、LCトラップ回路、第1の差動SPMTスイッチのゲーティング投入端に接続された第1のポート、および第2の差動SPMTスイッチのゲーティング投入端に接続された第2のポートを含み、第1のポートは第1の正ポートおよび第1の負ポートを含み、第2のポートは第2の正ポートおよび第2の負ポートを含み、
LCトラップ回路は、第1の正ポートと第2の正ポートとの間に接続された第1のLCトラップサブ回路と、第1の負ポートと第2の負ポートとの間に接続された第2のLCトラップサブ回路と、を含み、
第1のLCトラップサブ回路は第1のLC並列回路および第1のキャパシタを含み、第1のキャパシタの一端が低電気レベルに接続され、第1のキャパシタの他端が、第1の正ポートおよび第1のLC並列回路の一端に接続され、第1のLC並列回路の他端が第2の正ポートに接続され、
第2のLCトラップサブ回路は第2のLC並列回路および第2のキャパシタを含み、第2のキャパシタの一端が低電気レベルに接続され、第2のキャパシタの他端が、第1の負ポートおよび第2のLC並列回路の一端に接続され、第2のLC並列回路の他端が第2の負ポートに接続され、
第1のLC並列回路内のインダクタおよび第2のLC並列回路内のインダクタのパラメータが同じであり、第1のLC並列回路内のキャパシタおよび第2のLC並列回路内のキャパシタのパラメータが同じであり、第1のキャパシタおよび第2のキャパシタのパラメータが同じである。
【００１０】
第1の態様または第1の態様の3つの第1の実施可能な形態のうちの1つによれば、第1の態様の第4の実施可能な形態では、インタフェースコネクタはユニバーサル・シリアル・バス（Universal Serial Bus、略してUSB）コネクタである。
【００１１】
本発明によって提供される高調波抑制システムによれば、アンテナの現在の動作周波数帯域に対応するゲーティング制御信号が、第1の差動単極多投（Single-Pole Multi-Throw、略してSPMT）スイッチおよび第2の差動SPMTスイッチに送られ、したがって、動作周波数帯域に対応している、インタフェースコネクタとベースバンドチップとの間に設置されたLCトラップネットワークが、第1の差動SPMTスイッチおよび第2の差動SPMTスイッチの入り切りを制御することによって電気的に接続され、したがって、アンテナの異なる複数の動作周波数帯域に対して、対応するLCトラップネットワークを使用することにより第二高調波の抑制を実施することができる。
【図面の簡単な説明】
【００１２】
【図１】既存の高調波抑制システムの概略構成図である。
【図２】本発明の実施形態1による高調波抑制システムの概略構成図である。
【図３】本発明の実施形態2による別の高調波抑制システムの概略構成図である。
【図４】本発明の任意の実施形態によるLCトラップネットワーク23の概略構成図である。
【発明を実施するための形態】
【００１３】
本発明の諸実施形態の目的、技術的解決法、および利点をより明確にするために、以下で、本発明の諸実施形態の技術的解決法について本発明の諸実施形態の添付図面を参照しながら明確かつ完全に説明する。説明する諸実施形態は、本発明の諸実施形態の一部であり、すべてではないことは明らかである。本発明の諸実施形態に基づいて当業者によって創意工夫なしに得られる他のすべての実施形態は、本発明の保護範囲内にあるものとする。
【００１４】
図2は、本発明の実施形態1による高調波抑制システムの概略構成図である。図1に示されているように、このシステムは、インタフェースコネクタ21、ベースバンドチップ22、少なくとも2つのLCトラップネットワーク23、アンテナ24、第1の差動単極多投（Single-Pole Multi-Throw、略してSPMT）スイッチ25、第2の差動SPMTスイッチ26、およびアンテナスイッチ27を含み、
インタフェースコネクタ21は、第1の差動SPMTスイッチ25の共通端251に接続され、
第1の差動SPMTスイッチ25の制御ポート252が第2の差動SPMTスイッチ26の制御ポート262に接続され、第1の差動SPMTスイッチ25の複数のゲーティング投入端253の各ゲーティング投入端が、少なくとも2つのLCトラップネットワーク23の各LCトラップネットワークの一端に一対一対応で別々に接続され、
第2の差動SPMTスイッチ26の制御ポート262はベースバンドチップ22に接続され、第2の差動SPMTスイッチ26の複数のゲーティング投入端263の各ゲーティング投入端が、少なくとも2つのLCトラップネットワーク23の各LCトラップネットワークの他端に一対一対応で別々に接続され、第2の差動SPMTスイッチ26の共通端261がベースバンドチップ22に接続され、
ベースバンドチップ22はアンテナスイッチ27に接続され、アンテナスイッチ27はアンテナ24に接続され、
ベースバンドチップ22は、アンテナ24の動作周波数帯域を決定し、その動作周波数帯域が複数のプリセットの周波数帯域のうちの1つであることが決定されると、動作周波数帯域に対応するプリセットのゲーティング制御信号を第1の差動SPMTスイッチ25の制御ポート252および第2の差動SPMTスイッチ26の制御ポート262に送るように構成され、複数の周波数帯域の各周波数帯域は、少なくとも2つのLCトラップネットワーク23の各LCトラップネットワークに一対一で対応し、
第1の差動SPMTスイッチ25は、動作周波数帯域に対応するゲーティング制御信号に従って、インタフェースコネクタ21と動作周波数帯域に対応するLCトラップネットワークとを電気的に接続するように構成され、
第2の差動SPMTスイッチ26は、動作周波数帯域に対応するゲーティング制御信号に従って、ベースバンドチップ22と動作周波数帯域に対応するLCトラップネットワークとを電気的に接続するように構成される。
【００１５】
インタフェースコネクタ21は、ユニバーサル・シリアル・バス（Universal Serial BUS、略してUSB）コネクタ、またはセキュアデジタル入出力カード（Secure Digital Input and Output Card、略してSDIO）コネクタでよいが、このコネクタは、本明細書ではこの実施形態において限定されるものではない。
【００１６】
具体的には、ベースバンドチップ22がアンテナ24の動作周波数帯域を決定した後、この動作周波数帯域が、複数のLCトラップネットワーク23に一対一で対応する複数のプリセットの周波数帯域のうちの1つであれば、すなわち、複数のLCトラップネットワーク23のうちで、その動作周波数帯域に対応するLCトラップネットワークがあれば、ベースバンドチップ22は、ゲーティング制御信号を第1の差動SPMTスイッチ25の制御ポート252および第2の差動SPMTスイッチ26の制御ポート262に送ることができ、第1の差動SPMTスイッチ25は、ゲーティング制御信号の制御下で、第1の差動SPMTスイッチ25の共通端251とゲーティング制御信号に対応している、第1の差動SPMTスイッチ25の複数のゲーティング投入端253のゲーティング投入端とを電気的に接続し、ゲーティング制御信号に対応している、第1の差動SPMTスイッチ25のゲーティング投入端は、動作周波数帯域に対応するLCトラップネットワークの一端に接続され、第2の差動SPMTスイッチ26は、ゲーティング制御信号の制御下で、第2の差動SPMTスイッチ26の共通端261とゲーティング制御信号に対応している、第2の差動SPMTスイッチ26の複数のゲーティング投入端263のゲーティング投入端とを電気的に接続し、ゲーティング制御信号に対応している、第2の差動SPMTスイッチ26のゲーティング投入端は、動作周波数帯域に対応するLCトラップネットワークの他端に接続される。
【００１７】
動作周波数帯域に対応するLCトラップネットワークは、第1の差動SPMTスイッチ25および第2の差動SPMTスイッチ26を使用することにより、インタフェースコネクタ21とベースバンドチップ22との間に接続され、さらに、動作周波数帯域の場合の第二高調波が、動作周波数帯域に対応するLCトラップネットワークを使用することにより効果的に抑制される。
【００１８】
具体的には、実際の適用例で、どの周波数帯域がアンテナによってサポートされるかは、アンテナが設計製造されるときに前もってセットされる。それに対応して、アンテナ24の動作周波数帯域を決定する方法は、通信接続を現在確立する必要がある通信ネットワークによってサポートされる周波数帯域に従ってベースバンドチップ22により、通信ネットワークによってサポートされる周波数帯域をアンテナ24の動作周波数帯域として使用することを一般に含んでいてもよい。
【００１９】
図2は、実施形態の特定の実施態様のみを示し、実施形態に制限を課すものではないことに留意すべきである。例えば、実施形態内のLCトラップネットワーク23の数は、図2に示されている2つを含むがそれに限定されるものではなく、それに対応して、第1の差動SPMTスイッチ25のゲーティング投入端の数および第2の差動SPMTスイッチ26のゲーティング投入端の数は、どちらの数も図2に示されている数に限定されるものではない。
【００２０】
実際の適用例では、LCトラップネットワークは第二高調波の抑制を実施することができるが、LCトラップネットワーク自体の回路特性のために、LCトラップネットワークが設置されると、信号のアイダイアグラムの劣化や符号間干渉の増大などの望ましくない現象が起こり、加えて、LCトラップネットワーク上にあるキャパシタおよびインダクタが一般に理想装置ではないために、対応する等価直流抵抗が存在し、それによって不必要なシグナル減衰も引き起こす。加えて、実際の適用例では、動作周波数帯域が低周波帯域であるときだけ第二高調波現象が一般に生じるために、アンテナの動作周波数帯域が高周波帯域内にあるときに、一般に、第二高調波の抑制を実施する必要はない。
【００２１】
したがって、第二高調波の抑制がアンテナに対して実施される必要がないときに、依然として設置されているLCトラップネットワークによって引き起こされる上記の一連の問題を回避するために、随意に、図3は、本発明の実施形態2による別の高調波抑制システムの概略構成図である。図3に示されているように、実施形態1に記載されている高調波抑制システムによれば、
第1の差動SPMTスイッチ25および第2の差動SPMTスイッチ26はストレートスルー投入端をさらに含み、第1の差動SPMTスイッチ25のストレートスルー投入端254は第2の差動SPMTスイッチ26のストレートスルー投入端264に接続され、
ベースバンドチップ22は、アンテナの動作周波数帯域が決定された後、動作周波数帯域が複数の周波数帯域のいずれでもなければ、ストレートスルー制御信号を第1の差動SPMTスイッチ25の制御ポート252および第2の差動SPMTスイッチ26の制御ポート262に送るようにさらに構成され、
第1の差動SPMTスイッチ25は、ストレートスルー制御信号に従って、インタフェースコネクタ21と第1の差動SPMTスイッチ25のストレートスルー投入端254とを電気的に接続し、
第2の差動SPMTスイッチ26は、ストレートスルー制御信号に従って、ベースバンドチップ22と第2の差動SPMTスイッチ26のストレートスルー投入端264とを電気的に接続する。
【００２２】
具体的には、アンテナ24の動作周波数帯域が決定された後、この動作周波数帯域が複数の周波数帯域のいずれでもなければ、すなわち、複数のLCトラップネットワーク23のうちで、動作周波数帯域に対応するLCトラップネットワークがなければ、ベースバンドチップ22は、ストレートスルー制御信号を第1の差動SPMTスイッチ25および第2の差動SPMTスイッチ26に送ることができ、ストレートスルー制御信号は、第1の差動SPMTスイッチ25および第2の差動SPMTスイッチ26が、ストレートスルー制御信号の制御下で、第1の差動SPMTスイッチ25のストレートスルー投入端254とストレートスルー投入端254に直接接続された第2の差動SPMTスイッチ26のストレートスルー投入端264とを電気的に接続できるようにするために使用され、したがって、LCトラップネットワークは、第1の差動SPMTスイッチ25および第2の差動SPMTスイッチ26を使用することにより、インタフェースコネクタ21とベースバンドチップ22との間に接続されない。
【００２３】
加えて、実際の適用例では、ベースバンドチップ22がアンテナ24の動作周波数帯域を決定した後、アンテナ24の動作周波数帯域を制御するために、随意に、実施形態または実施形態1の別の実施可能な形態で、
ベースバンドチップ22は、アンテナ24の動作周波数帯域が決定された後、この動作周波数帯域に対応するプリセットのアンテナスイッチ制御信号をアンテナスイッチ27に送り、それによってアンテナスイッチ27がアンテナスイッチ制御信号に従ってアンテナ24の動作信号の周波数帯域を動作周波数帯域に切り替えるようにさらに構成される。
【００２４】
具体的には、ベースバンドチップ22はアンテナスイッチ27の制御ポート271に接続され、具体的には、アンテナ24の動作周波数帯域が決定された後、動作周波数帯域に対応するプリセットのアンテナスイッチ制御信号をアンテナスイッチ27の制御ポート271に送るように構成される。
【００２５】
より具体的には、図4は、本発明の任意の実施形態によるLCトラップネットワーク23の概略構成図である。前述した実施形態のうちのいずれか1つでは、各LCトラップネットワーク23が、
LCトラップ回路、第1の差動SPMTスイッチ25のゲーティング投入端に接続された第1のポート41、および第2の差動SPMTスイッチ26のゲーティング投入端に接続された第2のポート42を含むことができ、
第1のポート41は第1の正ポートおよび第1の負ポートを含み、第2のポート42は第2の正ポートおよび第2の負ポートを含み、LCトラップ回路は、第1の正ポートと第2の正ポートとの間に接続された第1のLCトラップサブ回路43と、第1の負ポートと第2の負ポートとの間に接続された第2のLCトラップサブ回路44と、を含み、
第1のLCトラップサブ回路43は第1のLC並列回路および第1のキャパシタC1を含み、第1のキャパシタC1の一端が低電気レベルに接続され、第1のキャパシタC1の他端が、第1の正ポートおよび第1のLC並列回路の一端に接続され、第1のLC並列回路の他端が第2の正ポートに接続され、
第2のLCトラップサブ回路44は第2のLC並列回路および第2のキャパシタC2を含み、第2のキャパシタC2の一端が低電気レベルに接続され、第2のキャパシタC2の他端が、第1の負ポートおよび第2のLC並列回路の一端に接続され、第2のLC並列回路の他端が第2の負ポートに接続される。
【００２６】
第1のLC並列回路内のインダクタおよび第2のLC並列回路内のインダクタのパラメータが同じであり、第1のLC並列回路内のキャパシタおよび第2のLC並列回路内のキャパシタのパラメータが同じであり、第1のキャパシタおよび第2のキャパシタのパラメータが同じである。
【００２７】
具体的には、LCトラップ回路内の装置のパラメータは動作周波数に従って決定されてもよく、決定するための具体的な方法について本明細書では繰り返し説明はしない。LC並列回路はキャパシタおよびインダクタを含み、キャパシタおよびインダクタは並列である。
【００２８】
当業者なら、前述した方法の実施形態のステップのすべてまたは一部がプログラム命令関連のハードウェアによって実施され得ることを理解するであろう。プログラムは、コンピュータ可読記憶媒体に保存されてもよい。プログラムが走ると、方法の実施形態のステップは実行される。前述の記憶媒体としては、ROM、RAM、磁気ディスク、光ディスクなどの、プログラムコードを保存することができる任意の媒体がある。
【００２９】
最後に、前述の実施形態は、単に本発明の技術的解決法を説明するためのものであり、本発明を制限するためのものではないことに留意すべきである。本発明は前述の諸実施形態を参照して詳述されるが、当業者なら、当業者が、本発明の諸実施形態の技術的解決法の範囲から逸脱することなく、前述の諸実施形態で説明された技術的解決法にさらに修正を加える、または前述の諸実施形態の一部またはすべての技術的特徴に等価の置き換えを行うことができることを理解するであろう。
【符号の説明】
【００３０】
11  インタフェースコネクタ
12  LCトラップネットワーク
13  ベースバンドチップ
14  アンテナスイッチ
15  アンテナ
21  インタフェースコネクタ
22  ベースバンドチップ
23  LCトラップネットワーク
24  アンテナ
25  第1の差動単極多投（SPMT）スイッチ
26  第2の差動単極多投（SPMT）スイッチ
27  アンテナスイッチ
41  第1のポート
42  第2のポート
43  第1のLCトラップサブ回路
44  第2のLCトラップサブ回路
251  共通端
252  制御ポート
253  複数のゲーティング投入端
254  ストレートスルー投入端
261  共通端
262  制御ポート
263  複数のゲーティング投入端
264  ストレートスルー投入端
271  制御ポート
【図１】
2016526834.tif 000003
【図２】
2016526834.tif 000004
【図３】
2016526834.tif 000005
【図４】
2016526834.tif 000006
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
インタフェースコネクタ、ベースバンドチップ、アンテナ、およびアンテナスイッチを備える高調波抑制システムであって、前記システムは、少なくとも2つのLCトラップネットワーク、第1の差動単極多投(SPMT)スイッチ、および第2の差動単極多投(SPMT)スイッチをさらに備え、
前記インタフェースコネクタが前記第1の差動SPMTスイッチの共通端に接続され、
前記第1の差動SPMTスイッチの制御ポートが前記第2の差動SPMTスイッチの制御ポートに接続され、前記第2の差動SPMTスイッチの前記制御ポートが前記ベースバンドチップに接続され、前記第1の差動SPMTスイッチの複数のゲーティング投入端の各ゲーティング投入端が、前記少なくとも2つのLCトラップネットワークの各LCトラップネットワークを使用することにより、前記第2の差動SPMTスイッチの複数のゲーティング投入端の各ゲーティング投入端に対称的に別々に接続され、
前記第2の差動SPMTスイッチの共通端が前記ベースバンドチップに接続され、
前記ベースバンドチップが、前記アンテナスイッチを使用することにより前記アンテナに接続され、前記ベースバンドチップが、前記アンテナの動作周波数帯域を決定し、前記動作周波数帯域が複数のプリセットの周波数帯域のうちの1つであることが決定されると、前記動作周波数帯域に対応するプリセットのゲーティング制御信号を前記第1の差動SPMTスイッチの前記制御ポートおよび前記第2の差動SPMTスイッチの前記制御ポートに送るように構成され、前記複数の周波数帯域の各周波数帯域が、前記少なくとも2つのLCトラップネットワークの各LCトラップネットワークに一対一で対応し、
前記第1の差動SPMTスイッチが、前記ゲーティング制御信号に従って、前記インタフェースコネクタと前記動作周波数帯域に対応するLCトラップネットワークとを電気的に接続するように構成され、
前記第2の差動SPMTスイッチが、前記ゲーティング制御信号に従って、前記ベースバンドチップと前記動作周波数帯域に対応する前記LCトラップネットワークとを電気的に接続するように構成される、
高調波抑制システム。
【請求項２】
前記第1の差動SPMTスイッチおよび前記第2の差動SPMTスイッチがストレートスルー投入端をさらに備え、前記第1の差動SPMTスイッチのストレートスルー投入端が前記第2の差動SPMTスイッチのストレートスルー投入端に接続され、
前記ベースバンドチップは、前記動作周波数帯域が前記複数の周波数帯域のいずれでもないことが決定されると、ストレートスルー制御信号を前記第1の差動SPMTスイッチの前記制御ポートおよび前記第2の差動SPMTスイッチの前記制御ポートに送るようにさらに構成され、
前記第1の差動SPMTスイッチが、前記ストレートスルー制御信号に従って、前記インタフェースコネクタと前記第1の差動SPMTスイッチの前記ストレートスルー投入端とを電気的に接続し、
前記第2の差動SPMTスイッチが、前記ストレートスルー制御信号に従って、前記ベースバンドチップと前記第2の差動SPMTスイッチの前記ストレートスルー投入端とを電気的に接続する、請求項1に記載のシステム。
【請求項３】
前記ベースバンドチップが、前記アンテナスイッチの制御ポートを使用することにより前記アンテナに接続され、前記ベースバンドチップは、前記アンテナの前記動作周波数帯域が決定された後、前記動作周波数帯域に対応するプリセットのアンテナスイッチ制御信号を前記アンテナスイッチの前記制御ポートに送り、それによって前記アンテナスイッチが前記アンテナスイッチ制御信号に従って前記アンテナの動作信号の周波数帯域を前記動作周波数帯域に切り替えるようにさらに構成される、請求項1または2に記載のシステム。
【請求項４】
各LCトラップネットワークが、LCトラップ回路、前記第1の差動SPMTスイッチの前記ゲーティング投入端に接続された第1のポート、および前記第2の差動SPMTスイッチの前記ゲーティング投入端に接続された第2のポートを備え、前記第1のポートが第1の正ポートおよび第1の負ポートを備え、前記第2のポートが第2の正ポートおよび第2の負ポートを備え、
前記LCトラップ回路が、前記第1の正ポートと前記第2の正ポートとの間に接続された第1のLCトラップサブ回路と、前記第1の負ポートと前記第2の負ポートとの間に接続された第2のLCトラップサブ回路と、を備え、
前記第1のLCトラップサブ回路が第1のLC並列回路および第1のキャパシタを備え、前記第1のキャパシタの一端が低電気レベルに接続され、前記第1のキャパシタの他端が、前記第1の正ポートおよび前記第1のLC並列回路の一端に接続され、前記第1のLC並列回路の他端が前記第2の正ポートに接続され、
前記第2のLCトラップサブ回路が第2のLC並列回路および第2のキャパシタを備え、前記第2のキャパシタの一端が低電気レベルに接続され、前記第2のキャパシタの他端が、前記第1の負ポートおよび前記第2のLC並列回路の一端に接続され、前記第2のLC並列回路の他端が前記第2の負ポートに接続され、
前記第1のLC並列回路内のインダクタおよび前記第2のLC並列回路内のインダクタのパラメータが同じであり、前記第1のLC並列回路内のキャパシタおよび前記第2のLC並列回路内のキャパシタのパラメータが同じであり、前記第1のキャパシタおよび前記第2のキャパシタのパラメータが同じである、請求項1から3のいずれか一項に記載のシステム。
【請求項５】
前記インタフェースコネクタがユニバーサル・シリアル・バスUSBコネクタである、請求項1から4のいずれか一項に記載のシステム。
【手続補正２】
【補正対象書類名】明細書
【補正対象項目名】０００４
【補正方法】変更
【補正の内容】
【０００４】
図1に示されているように、この周波数帯域の場合の第二高調波の抑制は、この解決法を使用することにより、アンテナ15の動作周波数帯域がLCトラップネットワーク12に対応する周波数帯域であるときだけ実施することができる。しかしながら、アンテナ15の動作周波数帯域は、一般に複数の周波数帯域に及ぶ可能性があり、したがって、前述した既存の解決法に基づいて、アンテナ15の動作周波数帯域が別の周波数帯域であるときに、別の周波数帯域の場合の第二高調波の抑制は、LCトラップネットワーク12を使用することによって実施することができない。
【手続補正３】
【補正対象書類名】明細書
【補正対象項目名】００１４
【補正方法】変更
【補正の内容】
【００１４】
図2は、本発明の実施形態1による高調波抑制システムの概略構成図である。図2に示されているように、このシステムは、インタフェースコネクタ21、ベースバンドチップ22、少なくとも2つのLCトラップネットワーク23、アンテナ24、第1の差動単極多投（Single-Pole Multi-Throw、略してSPMT）スイッチ25、第2の差動SPMTスイッチ26、およびアンテナスイッチ27を含み、
インタフェースコネクタ21は、第1の差動SPMTスイッチ25の共通端251に接続され、
第1の差動SPMTスイッチ25の制御ポート252が第2の差動SPMTスイッチ26の制御ポート262に接続され、第1の差動SPMTスイッチ25の複数のゲーティング投入端253の各ゲーティング投入端が、少なくとも2つのLCトラップネットワーク23の各LCトラップネットワークの一端に一対一対応で別々に接続され、
第2の差動SPMTスイッチ26の制御ポート262はベースバンドチップ22に接続され、第2の差動SPMTスイッチ26の複数のゲーティング投入端263の各ゲーティング投入端が、少なくとも2つのLCトラップネットワーク23の各LCトラップネットワークの他端に一対一対応で別々に接続され、第2の差動SPMTスイッチ26の共通端261がベースバンドチップ22に接続され、
ベースバンドチップ22はアンテナスイッチ27に接続され、アンテナスイッチ27はアンテナ24に接続され、
ベースバンドチップ22は、アンテナ24の動作周波数帯域を決定し、その動作周波数帯域が複数のプリセットの周波数帯域のうちの1つであることが決定されると、動作周波数帯域に対応するプリセットのゲーティング制御信号を第1の差動SPMTスイッチ25の制御ポート252および第2の差動SPMTスイッチ26の制御ポート262に送るように構成され、複数の周波数帯域の各周波数帯域は、少なくとも2つのLCトラップネットワーク23の各LCトラップネットワークに一対一で対応し、
第1の差動SPMTスイッチ25は、動作周波数帯域に対応するゲーティング制御信号に従って、インタフェースコネクタ21と動作周波数帯域に対応するLCトラップネットワークとを電気的に接続するように構成され、
第2の差動SPMTスイッチ26は、動作周波数帯域に対応するゲーティング制御信号に従って、ベースバンドチップ22と動作周波数帯域に対応するLCトラップネットワークとを電気的に接続するように構成される。
【手続補正４】
【補正対象書類名】明細書
【補正対象項目名】００２７
【補正方法】変更
【補正の内容】
【００２７】
具体的には、LCトラップ回路内の装置のパラメータは動作周波数帯域に従って決定されてもよく、決定するための具体的な方法について本明細書では繰り返し説明はしない。LC並列回路はキャパシタおよびインダクタを含み、キャパシタおよびインダクタは並列である。
【国際調査報告】
2016526834.tif 000007
2016526834.tif 000008
2016526834.tif 000009
2016526834.tif 000010